(57)【要約】【課題】操作入力部材を備えた機器において、操作入力部材への不測の入力を防ぐとともに、機器全体の大きさが操作入力部材の大きさに依存しないものとする。【解決手段】操作入力部材としてのプッシュボタンをプッシュボタン頭１０（操作部材本体）とプッシュボタン軸１５（操作伝達部材）とに分割し、プッシュボタン頭１０を、プッシュボタン軸１５に入力操作を伝達可能とした第１の位置Ｐ１と伝達不可能とした第２の位置Ｐ２との間でケース本体２０の外周面に沿って移動可能とし、必要の無いときは、プッシュボタン頭１０を外リング３０（移動機構）により第２の位置Ｐ２に移動させておくことで、プッシュボタン頭１０に不測の入力があった場合にも、その入力をプッシュボタン軸１５に伝達させないようにして、プッシュボタンの全体としては不測の入力を防ぐとともに、プッシュボタン頭１０だけを移動させる外リング３０（移動機構）を備えた。【選択図】図４
2014026723.tif 000002
【特許請求の範囲】
【請求項１】
外部からの操作が入力される操作入力部材と、
前記操作入力部材に入力された操作に応じた動作を行う動作部と、
前記動作部を収納するケースとを備え、
前記操作入力部材は、前記操作が直接入力される操作部材本体と、前記操作部材本体に入力された操作を前記動作部に伝達する、前記操作部材本体とは別体の操作伝達部材とを有し、
前記操作部材本体に入力された操作を前記操作伝達部材に伝達させる第１の位置と、前記操作部材本体に入力された操作を前記操作伝達部材に伝達させない第２の位置とに、前記操作部材本体を前記ケースの外表面に沿って移動させる移動機構を有することを特徴とする操作入力部材を備えた機器。
【請求項２】
前記ケースに、前記第２の位置に移動された前記操作部材本体を収納する収納部を設けたことを特徴とする請求項１に記載の操作入力部材を備えた機器。
【請求項３】
前記収納部は、前記第２の位置に移動された前記操作部材本体の少なくとも一部を覆う被覆部を有することを特徴とする請求項２に記載の操作入力部材を備えた機器。
【請求項４】
前記操作部材本体は、前記動作部に相対的に近づいた近接位置と前記動作部から相対的に遠離った遠隔位置との間で変位可能に設けられ、
前記操作部材本体を、前記遠隔位置に付勢する付勢部材を有するとともに、
前記収納部に、前記操作部材本体を、前記付勢部材の付勢力に抗して、前記近接位置の側に押し込む押込部（プッシュボタンガイド）を設けたことを特徴とする請求項２または３に記載の操作入力部材を備えた機器。
【請求項５】
前記ケースが金属製であり、前記押込部が樹脂製であることを特徴とする請求項４に記載の操作入力部材を備えた機器。
【請求項６】
前記操作部材本体は、その一端部を回転中心として、その他端部が、前記動作部に相対的に近づいた近接位置と前記動作部から相対的に遠離った遠隔位置との間で回転可能に設けられていることを特徴とする請求項４または５に記載の操作入力部材を備えた機器。
【請求項７】
前記移動機構は、前記操作部材本体を、前記第１の位置と前記第２の位置との間で往復移動させるように、移動範囲を規制する規制部材を備えたことを特徴とする請求項１から６のうちいずれか１項に記載の操作入力部材を備えた機器。
【請求項８】
前記移動機構は、前記操作部材本体を前記第２の位置に移動した状態において、前記操作伝達部材を外部から覆う被覆部材を有することを特徴とする請求項１から７のうちいずれか１項に記載の操作入力部材を備えた機器。
【請求項９】
前記操作入力部材が複数備えられ、
前記移動機構は、前記複数の操作入力部材におけるそれぞれの前記操作部材本体を連動して移動させるものであることを特徴とする請求項１から８のうちいずれか１項に記載の操作入力部材を備えた機器。
【請求項１０】
前記操作部材本体が、前記第１の位置から前記第２の位置への移動または前記第２の位置から前記第１の位置への移動を検出する検出器を備え、
前記動作部は、前記検出器により検出された、前記操作部材本体の位置に応じて、動作モードに係わる状態が切り替えられるものであることを特徴とする請求項１から９のうちいずれか１項に記載の操作入力部材を備えた機器。
【請求項１１】
前記検出手段は、前記移動機構に設けられて前記操作部材本体とともに移動する移動部材に形成されたカムと、前記ケースに設けられた、前記カムの輪郭に接するスイッチとを有するものであることを特徴とする請求項１０に記載の操作入力部材を備えた機器。
【請求項１２】
前記動作部による動作モードを特定する表示を行う表示部を備えたことを特徴とする請求項１から１１のうちいずれか１項に記載の操作入力部材を備えた機器。
【発明の詳細な説明】
【技術分野】
【０００１】
本発明は、携帯情報装置等の操作入力部材を備えた機器に関し、詳細には、操作が入力される操作入力部材の改良に関する。
【背景技術】
【０００２】
従来、腕時計や携帯電話、携帯音楽プレーヤー、歩数計など種々の機器は、その機器が有する機能に応じた動作を行わせるために、プッシュボタンを始めとする、使用者が操作を入力する操作入力部材が設けられている。
【０００３】
例えば、クロノグラフ機能を有する腕時計の場合、計時スタート、計時ストップ、計時再開、ゼロ位置復帰などの指示を押下操作によって入力するプッシュボタンが、操作入力部材として設けられている。
【０００４】
このプッシュボタン等の操作入力部材は、必要に応じて使用者の操作が入力される必要があるため、外部の露出した状態となっているものである。
【０００５】
しかし、このように外部に露出した状態の操作入力部材には、使用者が意図しない不測の入力が行われることがある。
【０００６】
すなわち、使用者が操作を行おうとしていないにも拘わらず、その操作入力部材が偶発的に障害物に当たって、操作入力部材に操作が入力されたときと同じ入力が行われることがある。
【０００７】
そして、このような不測の入力によって、機器はその入力に応じた動作を開始し、その結果、使用者が必要としていないその動作により、機器の電力が無駄に消費されるなどの問題が生じる。
【０００８】
そこで、このような不測の入力を防止するために、使用者が必要としていないときは、操作入力部材をカバーで覆う技術が提案されている（特許文献１）。
【０００９】
この技術によれば、使用者が所定の機能を必要としていないときは、その機能の動作を行わせるための操作入力部材である押しボタンをカバーで覆うことで、障害物はカバーに当たるだけであり、障害物から押しボタンに不測の入力が発生するのを防止することができ、一方、使用者が所定の機能を必要とするときは、押しボタンを覆っていたカバーを移動させて押しボタンを外部に露出させることで、使用者は押しボタンに操作の入力を行うことができる。
【先行技術文献】
【特許文献】
【００１０】
【特許文献１】特開２００５−２９２１３９号公報
【発明の概要】
【発明が解決しようとする課題】
【００１１】
ところで、操作入力部材は、使用者が主に指で操作を入力するものであるため、良好な操作性を得るためには、指の大きさを考慮した大きさが必要である。
【００１２】
しかし、先行技術文献に記載の技術は、操作入力部材を指の大きさを考慮してある程度の大きさを確保すると、その操作入力部材を覆うカバーは操作入力部材よりも大きいものとする必要があり、機器全体の中に占めるカバーの割合が過度に大きくなって、機器全体のデザイン性が損なわれる、とう問題がある。
【００１３】
一方、デザイン性を損なわないようにカバーを小さくすると、操作入力部材も小さくなり、操作入力部材に対する操作性が悪化し、商品性の低下を招くおそれがある。
【００１４】
なお、先行技術文献に記載の技術は腕時計に関するものであるが、上述したデザイン性および操作性の問題は、腕時計のみに関するものではなく、機器が有する機能に応じた動作を行わせるための操作が入力される操作入力部材を備えた機器全般に起こりうる問題である。
【００１５】
本発明は上記事情に鑑みなされたものであって、操作入力部材への不測の入力を防ぐとともに、機器全体の大きさが操作入力部材の大きさに依存しない操作入力部材を備えた機器を提供することを目的とするものである。
【課題を解決するための手段】
【００１６】
本発明に係る操作入力部材を備えた機器は、操作入力部材を移動される操作部材本体と操作伝達部材とに分割し、操作部材本体を、操作伝達部材に入力操作を伝達可能とした位置と伝達不可能とした位置との間でケースの外表面に沿って移動可能とし、必要の無いときは、操作部材本体を伝達不可能の位置に移動させておくことで、例え操作部材本体に不測の入力があった場合にも、その入力を操作伝達部材に伝達させないようにして、操作入力部材の全体としては不測の入力を防ぎ、しかも、操作入力部材のうち操作部材本体だけを移動させる移動機構を備えただけであるため、機器全体を、操作入力部材の大きさに依存させないようにしたものである。
【００１７】
すなわち、本発明に係る操作入力部材を備えた機器は、外部からの操作が入力される操作入力部材と、前記操作入力部材に入力された操作に応じた動作を行う動作部と、前記動作部を収納するケースとを備え、前記操作入力部材は、前記操作が直接入力される操作部材本体と、前記操作部材本体に入力された操作を前記動作部に伝達する、前記操作部材本体とは別体の操作伝達部材とを有し、前記操作部材本体に入力された操作を前記操作伝達部材に伝達させる第１の位置と、前記操作部材本体に入力された操作を前記操作伝達部材に伝達させない第２の位置とに、前記操作部材本体を前記ケースの外表面に沿って移動させる移動機構を有することを特徴とする。
【発明の効果】
【００１８】
本発明に係る操作入力部材を備えた機器によれば、操作入力部材への不測の入力を防ぐとともに、機器全体の大きさが操作入力部材の大きさに依存しないものとすることができる。
【図面の簡単な説明】
【００１９】
【図１】本発明に係る操作入力部材を備えた機器の一実施形態である腕時計を示す概略斜視図であり、（ａ）はプッシュボタン頭が第１の位置にある（露出している）状態、（ｂ）はプッシュボタン頭が第２の位置にある（収納されている）状態、をそれぞれ示す。
【図２】図１に示した腕時計の分解斜視図である。
【図３】ケース本体の詳細を示す図であり、（ａ）は平面図、（ｂ）は（ａ）における矢視Ｃによる側面図、（ｃ）は（ａ）におけるＡ−Ａ線に沿った断面図、（ｄ）は（ａ）にＢ−Ｂ線に沿った断面図、をそれぞれ示す。
【図４】平面視におけるケースとプッシュボタン頭との位置関係を示す図であり、（ａ）はプッシュボタン頭が第１の位置にある状態、（ｂ）はプッシュボタン頭が第２の位置にある状態、をそれぞれ示す。
【図５】外リングの詳細を示す図であり、（ａ）は上下を裏返した斜視図、（ｂ）は（ａ）における矢視Ｄによる平面図、（ｃ）は（ａ）における矢視Ｅによる底面図、をそれぞれ示す。
【図６】下面リングの詳細を示す平面図である。
【図７】ケースに形成された凹部と外リングに設けられたボールとを示す、図４（ｂ）におけるＦ−Ｆ線に沿った断面図である。
【図８】プッシュボタン頭を直線移動させる構成の例を示す図であり、（ａ）はプッシュボタン頭を第１の位置に移動させた状態、（ｂ）はプッシュボタン頭を第２の位置に移動させた状態、をそれぞれ示す。
【図９】外リングの逆回転を防止する具体的な構成を示す模式図である。
【発明を実施するための形態】
【００２０】
以下、本発明に係る携帯情報装置等の操作入力部材を備えた機器の実施形態について、図面を用いて説明する。
図１に示した腕時計１００（以下、時計１００という。）は、本発明に係る操作入力部材を備えた機器の一実施形態であり、太陽電池セルとこの太陽電池セルで発電された電力を蓄電する二次電池を備えるとともに、標準時刻電波を内部に備えたアンテナで受信して、二次電池に蓄電された電力を動力源として、指針による時刻表示を正規の時刻表示に自動で修正する機能を有する電波ソーラ時計であり、現在の時刻を指針で表示する時刻モードに加えて、ストップウォッチ動作を表示するクロノグラフモードなど、互いに異なる表示を行う複数の機能に対応した動作モードを備えている。
【００２１】
ここで、時計１００は、図１（ａ）に示すように、プッシュボタン頭１０が外部から視認可能で、押圧可能に突出している状態のときはクロノグラフモードに切り替えられていて、図１（ｂ）に示すように、プッシュボタン頭１０が外部から視認不可能で、押圧もできない状態のときは時刻モードに切り替えられている。
【００２２】
（時計の全体構成）
次に、時計１００の詳細について説明する。
【００２３】
時計１００は、図２に示すように、ケース本体２０（ケース）およびケース裏蓋７０（ケース）と、外リング３０（移動機構、移動部材）と、２つのプッシュボタン頭１０（操作部材本体）およびプッシュボタン軸１５（操作伝達部材）を有する操作入力部材と、下面リング６１と、下面リング押さえ６２と、ムーブメント８０（動作部）と、文字板９１と、指針９２と、風防ガラス９３と、ウレタンバンド９４とを備えている。
【００２４】
（ケース本体）
ここで、ケース本体２０およびケース裏蓋７０は金属製であり、内部にムーブメント８０、文字板９１および指針９２等を収納する。
【００２５】
ケース本体２０は、図２，３に示すように、短円筒状の本体円筒部２１と、この本体円筒部２１の上端から本体円筒部２１の直径方向（例えば、文字板９１の「６時」に対応した方向と「１２時」に対応した方向）にそれぞれ張り出し、先端が下方に向けて延びた、ウレタンバンド９４が取り付けられる２つのバンド取付部２２，２２とが形成されていて、バンド取付部２２，２２と本体円筒部２１との間には、本体円筒部２１の外周面２１ａに沿って回転できるように外リング３０を通過させる隙間２３，２３（収納部）が形成されている。
【００２６】
なお、本体円筒部２１とバンド取付部２２，２２とを繋いだ繋ぎ部分２４，２４は、図４に示すように、ケース本体２０を上方から見たとき、その下方の隙間２３に収納された収納物（外リング３０の一部や、後述するプッシュボタン頭１０など）を上方から覆って見えなくする被覆部となっている。隙間２３，２３のケース裏蓋７０側は開口しているが、この部分は下面リング６１によって覆われる。
【００２７】
また、バンド取付部２２，２２のうち隙間２３，２３に臨んだ面（本体円筒部２１の外周面２１ａに対向する面）２２ａには、後述する樹脂製のプッシュボタンガイド２８，２８（押込部）がそれぞれ取り付けられている。
【００２８】
なお、プッシュボタンガイド２８が取り付けられた状態であっても、各隙間２３，２３は、外リング３０を通過させることが可能な幅を有している。
【００２９】
また、ケース本体２０の本体円筒部２１には、各プッシュボタン頭１０，１０とは別体のプッシュボタン軸１５，１５がそれぞれ通される貫通孔２６，２６と、モード切替ボタン８１（検出器、スイッチ）が通される貫通孔２７が形成されていて、貫通孔２６にプッシュボタン軸１５が通され、貫通孔２７にモード切替ボタン８１が通されている。
【００３０】
ここで、プッシュボタン軸１５は、後述するプッシュボタン頭１０が操作可能位置である第１の位置Ｐ１にあるときに、プッシュボタン頭１０に直接入力された操作が伝達され、この伝達された操作をケース本体２０の内部に収納されたムーブメント８０に伝達するものである。
【００３１】
なお、プッシュボタン軸１５は、例えば、文字板９１の「２時」に対応した方向と「８時」に対応した方向とにそれぞれ設けられていて、それぞれのプッシュボタン軸１５，１５と、プッシュボタン頭１０，１０とが対応するように設けられている。
【００３２】
モード切替ボタン８１は、後述する外リング３０の内周面３１ｂに形成されたカム３１ｃの輪郭に接して、そのカム３１ｃの輪郭形状に応じて、半径方向に沿って変位するものであり、半径方向内方に押し込まれた変位位置と押し込まれていない変位位置とで、ムーブメント８０に入力有無を伝達するものであり、本実施形態の時計１００においては１つだけ備えられているが、設置位置が互いにずらされた２つ以上の位置にそれぞれ設けられていてもよい。
【００３３】
ムーブメント８０は、時刻モードのときは、文字板９１および指針９２により現在の時刻を表示するように動作し、前述したように所定時刻にアンテナが標準時刻電波を受信したときは、文字板９１および指針９２による時刻表示を、標準時刻電波に基づいた正しい時刻表示に修正する動作も行う。
【００３４】
一方、クロノグラフモードのときは、ムーブメント８０は、プッシュボタン頭１０からプッシュボタン軸１５を介して入力された操作に応じた動作を行う。
【００３５】
クロノグラフモードのときのムーブメント８０の具体的な動作は、例えば、一方のプッシュボタン頭１０に押される操作が入力されると、指針９２を動かして計時を開始し、一方のプッシュボタン頭１０に押される操作が再度入力されると、指針９２の動きを止めて計時を停止し、一方のプッシュボタン頭１０に押される操作がさらに入力されると、計時を再開し、一方のプッシュボタン頭１０に押される操作がさらに入力されると、計時を停止する。
【００３６】
そして、計時が停止した状態で、他方のプッシュボタン頭１０に押される操作が入力されると、ムーブメント８０は、止められている指針９２をゼロ位置（通常は、文字板９１の時刻「１２時」の位置）に復帰させる。
【００３７】
モード切替ボタン８１が、カム３１ｃの輪郭形状に応じて半径方向内方に押し込まれた変位位置では、ムーブメント８０は、動作モードをクロノグラフモードに切り替え、モード切替ボタン８１が、カム３１ｃの輪郭形状に応じて半径方向内方に押し込まれていない変位位置では、ムーブメント８０は、動作モードを時刻モードに切り替える。
【００３８】
なお、プッシュボタン軸１５，１５およびモード切替ボタン８１はいずれも、ケース本体２０の本体円筒部２１の外周面２１ａから一定長さだけ突出していて、本体円筒部２１の半径方向外方に向けて、図示しないバネ等によって付勢されている。
動作モードは、自動的に切り替える構成に限らず、プッシュボタン頭１０等に対する使用者の操作入力によって切り替える構成にすることもできる。
【００３９】
（外リング）
外リング３０は、図２，５に示すように概略円環形状であり、ケース本体２０の本体円筒部２１の外周面２１ａに沿って回転可能となっている。
【００４０】
そして、外リング３０は、回転に伴って２つのプッシュボタン頭１０，１０を本体円筒部２１の外周面２１ａに沿って、一体的に連動して回転移動させる移動機構であるとともに、それ自体が回転する移動部材として構成されている。
【００４１】
外リング３０は金属製であり、周壁３１の、視認される外周面３１ａに、凹凸の装飾が施されており、前述したカム３１ｃの一部が形成された内周面３１ｂが、ケース本体２０の本体円筒部２１の外周面２１ａに対向するように配置される。
【００４２】
なお、内周面３１ｂに形成されたカム３１ｃは半径方向に沿った位置が変化することにより、従動節の変位量を変化させるものであり、カム３１ｃのうち半径方向内方に突出した部分は、ケース本体２０に設けられたモード切替ボタン８１を半径方向に沿って押圧して変位させ、これにより、ケース本体２０に収納されたムーブメント８０による機能モードを、例えばクロノグラフモードに切り替える。
【００４３】
一方、カム３１ｃの周囲の部分（カム３１ｃのうち凸部輪郭に隣接する凹部輪郭の部分）は、モード切替ボタン８１を押圧しないため、半径方向外方に付勢されたままとなり、これにより、ムーブメント８０による機能モードを、例えば通常の時刻モードに切り替える。
【００４４】
また、外リング３０の周壁３１のうち互いに対向する対角位置（外リング３０の中心回りの角度が１８０［度］の位置）にある２箇所の部分は、上端部３２を除いて切り欠かれており、この切り欠かれた２箇所の部分（以下、切欠き３１ｅ，３１ｅという）にはそれぞれ、プッシュボタン頭１０がその切欠き３１ｅ，３１ｅを塞ぐように配置される。
【００４５】
さらに、この外リング３０は、プッシュボタン頭１０，１０を第２の位置Ｐ２に移動した状態において、図４（ｂ）に示すように、プッシュボタン軸１５を外部から覆う被覆部材としても機能している。
【００４６】
（プッシュボタン頭）
各プッシュボタン頭１０は、それぞれ対応するプッシュボタン軸１５とともに、外部からの操作が入力される操作入力部材を構成するものであり、このうちプッシュボタン頭１０は操作が直接入力される操作部材本体である。
【００４７】
このプッシュボタン頭１０は、金属製で、外リング３０の外周面３１ａと略同一の曲率半径を有する略円弧状に形成されており、その円弧状の一端部に上下に貫通する軸孔１１が形成され、この軸孔１１に支点ピン１８の軸部１８ｂが通され、支点ピン１８の、軸部１８ｂよりも直径の大きい頭部１８ａが、外リング３０の上端部３２に形成された軸孔３２ａに嵌め合わされることで、支点ピン１８回りに回転可能に、外リング３０に支持される。
【００４８】
また、支点ピン１８の軸部１８ｂには、軸部１８ｂの軸回りのモーメントを与えるバネ１９（付勢部材）が軸部１８ｂの周囲を囲むように配置されていて、バネ１９の一端がプッシュボタン頭１０に接し、バネ１９の他端が外リング３０に接した状態となっている。
【００４９】
この結果、バネ１９の弾性力により、プッシュボタン頭１０が外リング３０の外周面３１ａから突出する方向に、軸回りに回転するように付勢されて（荷重が掛けられて）いる。
【００５０】
ここで、プッシュボタン頭１０の円弧状の他端部には、図２に示すように、外リング３０の周壁３１の内周面３１ｂに引っ掛けられる爪１２が形成されていて、プッシュボタン頭１０が外リング３０の外周面３１ａから突出する方向に付勢されていても、この他端部の爪１２が外リング３０の周壁３１の内周面３１ｂに引っ掛けられて、プッシュボタン頭１０が外リング３０から飛び出すことはなく、プッシュボタン頭１０の外方に向いた面（以下、操作入力面１３という。）が、外リング３０の外周面３１ａから突出した状態（図１（ａ）、図４（ａ））で維持される。
【００５１】
一方、突出した状態のプッシュボタン頭１０が、外リング３０の内側に向けて外方からバネ１９の弾性力に抗して押圧されると、プッシュボタン頭１０は、支点ピン１８の軸部１８ｂの軸回り（図４（ａ）の矢印方向）に回動し、プッシュボタン頭１０の操作入力面１３は外リングの外周面３１ａと略面一になる状態まで引っ込められる。
【００５２】
なお、図１（ａ）、図４（ａ）に示した、プッシュボタン頭１０の操作入力面１３が、外リング３０の外周面３１ａから突出して停止している位置が、プッシュボタン頭１０がムーブメント８０に対して相対的に遠離った遠隔位置Ｐ３であり、図１（ｂ）、図４（ｂ）に示した、プッシュボタン頭１０の操作入力面１３が、外リング３０の外周面３１ａと略面一になる位置が、プッシュボタン頭１０がムーブメント８０に対して相対的に近づいた近接位置Ｐ４である。
【００５３】
プッシュボタン頭１０は略円弧状であるが、バネ１９で付勢されて外リング３０の外周面３１ａから突出した部分については、支点ピン１８の軸部１８ｂに支持された一端部の側が他端部の側（爪１２が形成された側）よりも外周面３１ａからの突出量が小さいため、その突出した部分の平面視での輪郭形状は略円弧状のくさび形状となる。
【００５４】
（下面リング、下面リング押さえ、ケース裏蓋）
下面リング６１は、外リング３０の下面に接するように配置され、外リング３０の回転角度を所定の角度範囲に規制する部材であり、外リング３０とともに、プッシュボタン頭１０をケース本体２０の外周面２１ａに沿って移動させる移動機構を構成している。
【００５５】
下面リング押さえ６２は、ケース本体２０における、ケース裏蓋７０側の端部に固定され、下面リング押え６２によって、下方に配置される下面リング６１を押さえる。
【００５６】
さらに、下面リング押え６２の下方からケース裏蓋７０が、ケース本体２０に取り付けられる。
【００５７】
ケース裏蓋７０は、ケース本体２０とともに、内部にムーブメント８０等を収納するケースを構成し、下面リング押さえ６２、下面リング６１および外リング３０を、ケース本体２０との間に挟んだ状態で、ケース本体２０に圧入して結合される。
【００５８】
下面リング６１には、図６に示すように、その内周縁６１ａに半径方向内側に向けて突出した凸部６１ｂが複数（本実施形態においては４つ）形成されていて、これらの凸部６１ｂは、ケース本体２０の本体円筒部２１の外周面２１ａに形成された４つの凹部２１ｂにそれぞれ対応して嵌め合わされ、周方向に関して回り止めとなっている。
【００５９】
したがって、下面リング６１は、その凸部６１ｂが、ケース本体２０の凹部２１ｂにそれぞれ嵌め合わされた状態で、ケース本体２０との間で相対的に周方向に回転することはない。
【００６０】
ケース裏蓋７０がケース本体２０に締結されている状態では、外リング３０の下面３１ｆは下面リング６１の上面６１ｃに接した状態となるが、外リングの下面３１ｆには、ピン孔３１ｇが形成されていて、このピン孔３１ｇに回り止めピン３１ｈが、下面３１ｆからわずかに突出した状態で挿入されている。
【００６１】
一方、下面リング６１の上面６１ｃのうち、下面リング６１の中心回りの所定の角度範囲θの部分には、回り止めピン３１ｈが案内される円弧状の溝６１ｄが形成されている。
【００６２】
そして、外リング３０は、ケース本体２０に対して周方向に関して回転自在となっているが、この下面リング６１との関係で、外リング３０の回り止めピン３１ｈが下面リング６１の溝６１ｄによって規制された角度範囲θでのみ、外リング３０は下面リング６１に対して回転可能となっている。
【００６３】
つまり、外リング３０の回り止めピン３１ｈと、下面リング６１の円弧状の溝６１ｄとは、プッシュボタン頭１０の回転移動を所定の角度範囲に規制する規制部材を構成している。
【００６４】
下面リング６１は、前述したようにケース本体２０に対して周方向に関して固定されているため、結果的に外リング３０はケース本体２０に対する周方向の回転角度が、角度範囲θに規制されている。
【００６５】
この角度範囲θは、図４（ａ）に示した、プッシュボタン頭１０が完全に突出している第１の位置Ｐ１と、図４（ｂ）に示した、プッシュボタン頭１０が完全にケース本体２０の隙間２３に収納されて外部から視認できない第２の位置Ｐ２との間の角度範囲であり、第１の位置Ｐ１からは第２の位置Ｐ２に向けて反時計回り−Ｒ方向にのみ回転可能で、第２の位置Ｐ２からは第１の位置Ｐ１に向けて時計回りＲ方向にのみ回転可能とされている。
【００６６】
なお、第１の位置Ｐ１は、プッシュボタン頭１０がプッシュボタン軸１５に操作を伝達する位置であり、文字板９１においては略「２時」の位置と略「８時」の位置とに対応している。
【００６７】
また、第２の位置Ｐ２は、プッシュボタン頭１０がプッシュボタン軸１５に操作を伝達しない位置であり、文字板９１においては略「１２時」の位置と略「６時」の位置とに対応している。
【００６８】
外リング３０の周壁３１には、図７に示すように、上下に貫通するボール孔３１ｊが形成されていて、このボール孔３１ｊの下側の開口からボール３６が挿入され、このボール３６は上方に向けてバネ３７で付勢されていて、周壁３１の上面３１ｋからわずかに突出した状態とされている。
【００６９】
一方、ケース本体２０の繋ぎ部分２４，２４の背面２４ｂのうち、プッシュボタン頭１０が第１の位置Ｐ１にあるときにおけるボール３６の位置に対応する部分と、プッシュボタン頭１０が第２の位置Ｐ２にあるときにおけるボール３６の位置に対応する部分とには、この突出したボール３６の部分が嵌る凹部２４ｃが形成されていて、プッシュボタン頭１０が第１の位置Ｐ１にあるときと第２の位置Ｐ２にあるときにのみ、ボール３６が凹部２４ｃに嵌り、それ以外の位置（第１の位置Ｐ１と第２の位置Ｐ２との間の範囲の位置）にあるときは、ボール３６は繋ぎ部分２４，２４の背面２４ｂに接した状態となる。
【００７０】
そして、ボール３６が繋ぎ部分２４，２４の背面２４ｂに接した状態では、ボール３６が凹部２４ｃに嵌った状態に比べて、バネ３７は圧縮されている。
【００７１】
したがって、ボール３６が繋ぎ部分２４，２４の背面２４ｂに接した状態から凹部２４ｃに嵌ったとき、ボール３６から外リング３０を通じて節度感（クリック感）が得られる。
【００７２】
そして、ボール３６が凹部２４ｃに嵌るときは、プッシュボタン頭１０が第１の位置Ｐ１にあるときと第２の位置Ｐ２にあるときとに限られるため、外リング３０を回転させたとき、上述した節度感が得られるまで外リング３０を回転させることで、プッシュボタン頭１０が第１の位置Ｐ１と第２の位置Ｐ２との間の中途半端な位置（第１の位置Ｐ１と第２の位置Ｐ２とを除いた位置）で停止されるのを防ぐことができる。
【００７３】
すなわち、節度感が得られる位置である第１の位置Ｐ１または第２の位置Ｐ２まで外リング３０を回転させるように、使用者に促すことが可能となっている。
【００７４】
（プッシュボタンガイド）
ケース本体２０の隙間２３には、樹脂製のプッシュボタンガイド２８がネジ２９，２９で取り付けられているが、このプッシュボタンガイド２８は、図４（ａ）に示す第１の位置Ｐ１にあるプッシュボタン頭１０が、外リング３０の反時計回り−Ｒ方向への回転により、図４（ｂ）に示す第２の位置Ｐ２に収納される過程で、プッシュボタン頭１０の外方に向いた面（以下、操作入力面１３という。）に接して、プッシュボタン頭１０をスムーズに第２の位置Ｐ２に押し込む機能を有している。
【００７５】
具体的には、プッシュボタン頭１０の操作入力面１３は、支点ピン１８の軸部１８ｂで支持された側の一端部において、外リング３０の外周面３１ａからの突出量が最も小さい突出量と略同じ突出量であり、プッシュボタンガイド２８は、プッシュボタン頭１０の操作入力面１３の突出量を、この最も小さい突出量と略同じ突出量とするように設定されている。
【００７６】
プッシュボタン頭１０の、外リング３０の外周面３１ａから突出した部分は、くさび形状に形成されているため、第１の位置Ｐ１にあるプッシュボタン頭１０が反時計回り−Ｒ方向へ回転する過程で、プッシュボタン頭１０の操作入力面１３にプッシュボタンガイド２８が接し始め、反時計回り−Ｒ方向への回転角度が大きくなるにしたがって、プッシュボタン頭１０の操作入力面１３に接する押圧力が、バネ１９の弾性力に抗して強くなり、操作入力面１３が外リング３０の外周面３１ａと略面一となるように、プッシュボタン頭１０を半径方向内方に向けて引っ込ませる。
【００７７】
プッシュボタンガイド２８がプッシュボタン頭１０を引っ込ませる量は、バネ１９が塑性変形しないように、操作入力面１３が外リング３０の外周面３１ａと略同一になる量よりも少ない量に設定してもよい。
【００７８】
このように、プッシュボタン頭１０は、周方向に沿って、第１の位置Ｐ１と第２の位置Ｐ２との間で移動可能であるとともに、外リング３０の半径直径に沿って、外リング３０の外周面３１ａから突出した遠隔位置Ｐ３と、外リング３０の外周面３１ａと面一となるまで引っ込んだ近接位置Ｐ４との間で移動可能となっている。
【００７９】
ここで、プッシュボタン頭１０の、外リング３０の外周面３１ａから突出した部分がくさび形状に形成されているため、プッシュボタンガイド２８と外リング３０の外周面３１ａとが傾斜して接するため、プッシュボタンガイド２８はスムーズにプッシュボタン頭１０を近接位置Ｐ４に移動させることができる。
【００８０】
なお、プッシュボタン頭１０は、周方向における第１の位置Ｐ１においては、半径方向における遠隔位置Ｐ３に付勢されていて、半径方向外方からの操作力の入力により、近接位置Ｐ４へ移動可能であるが、周方向における第２の位置Ｐ２においては、半径方向における近接位置Ｐ４に移動された状態であり、しかも、プッシュボタン頭１０はケース本体の隙間２３の内部に収納されているため、プッシュボタン頭１０に対して外部からの操作力を入力することはできない。
【００８１】
しかも、プッシュボタン頭１０は、第２の位置Ｐ２において繋ぎ部分２４によってその全体が覆われているため、外部から視認されることもない。
【００８２】
また、プッシュボタン頭１０が第１の位置Ｐ１にある状態においては、外リング３０のカム３１ｃの半径方向内方に突出した部分が、モード切替ボタン８１に対応する位置に配置されて、モード切替ボタン８１を押圧するように配置されている。
【００８３】
この結果、ムーブメント８０は、動作モードをクロノグラフの動作を表示するクロノグラフモードに切り替える。
【００８４】
一方、プッシュボタン頭１０が、周方向における第１の位置Ｐ１からずれた状態においては、外リング３０のカム３１ｃの半径方向内方に突出した部分が、モード切替ボタン８１に対応する位置からずれて、モード切替ボタン８１は押圧されない。
【００８５】
この結果、ムーブメント８０は、動作モードを通常の時刻指示の動作を表示する時刻モードに切り替える。
【００８６】
さらに、プッシュボタン頭１０が、周方向における第１の位置Ｐ１にある状態においては、プッシュボタン頭１０の操作入力面１３に外部から入力された操作が、ケース本体２０に設けられたプッシュボタン軸１５に伝達されるように、プッシュボタン頭１０とプッシュボタン軸１５とが接して連動する。
【００８７】
つまり、プッシュボタン頭１０に入力された操作（遠隔位置Ｐ３から近接位置Ｐ４に向かう変位）が、プッシュボタン軸１５に伝達され、プッシュボタン軸１５に伝達された操作は、プッシュボタン軸１５からムーブメント８０に伝達され、ムーブメント８０はクロノグラフモードにおける前述した動作を行う。
【００８８】
したがって、プッシュボタン頭１０が第１の位置Ｐ１にあるときは、プッシュボタン頭１０に操作力を加えて遠隔位置Ｐ３から近接位置Ｐ４に変位させると、プッシュボタン頭１０がプッシュボタン軸１５を押圧し、プッシュボタン軸１５がムーブメント８０に対して、例えばクロノグラフモードでの計時スタート、計時ストップ、ゼロ位置への復帰、といった表示を行わせる信号を与える。
【００８９】
一方、プッシュボタン頭１０が第２の位置Ｐ２にあるときは、ムーブメント８０は、例えば時刻モードに切り替えられるとともに、プッシュボタン頭１０がプッシュボタン軸１５から離れ、プッシュボタン頭１０に操作力を加えて遠隔位置Ｐ３から近接位置Ｐ４に変位させても、プッシュボタン頭１０がプッシュボタン軸１５を押圧しないため、プッシュボタン軸１５がムーブメント８０に対して信号を与えず、したがって、時刻表示の状態に変化を生じさせることはない。
【００９０】
（実施形態の効果）
以上のように構成された本実施形態の時計１００によれば、外部からの操作が入力されるプッシュボタン（操作入力部材）と、プッシュボタンに入力された操作に応じた動作を行うムーブメント８０（動作部）と、ムーブメント８０等を内部に収納するケース本体２０およびケース裏蓋７０（ケース）とを備え、プッシュボタンは、操作が直接入力されるプッシュボタン頭１０（操作部材本体）と、プッシュボタン頭１０に入力された操作をムーブメント８０に伝達する、プッシュボタン頭１０とは別体のプッシュボタン軸１５（操作伝達部材）とを有し、プッシュボタン頭１０に入力された操作をプッシュボタン軸１５に伝達させる第１の位置Ｐ１と、プッシュボタン頭１０に入力された操作をプッシュボタン軸１５に伝達させない第２の位置Ｐ２とに、プッシュボタン頭１０をケース本体２０の外表面に沿って回転移動させる外リング３０（移動機構）を有する構成により、プッシュボタンへの操作の入力が不要である場合に、プッシュボタン頭１０をプッシュボタン軸１５と分けて隙間２３に移動させておくことで、プッシュボタンへの不測の入力を防ぐとともに、時計１００の大きさがプッシュボタンの大きさに依存しないものとすることができ、例えば、本実施形態のように、時計１００を大きくせずに、プッシュボタンを大きくして、操作をし易くすることができる。
【００９１】
なお、本実施形態は、操作入力部材を備えた機器として時計を適用したものであるが、本発明に係る操作入力部材を備えた機器としては、この時計に限定されるものではなく、携帯電話（高機能携帯電話（スマートフォン）を含む）、携帯音楽プレーヤー、携帯映像プレーヤー、歩数計、活動量計など、機能に応じた動作を行わせるために、プッシュボタンを始めとする、使用者が操作を入力する操作入力部材が設けられているものであれば、如何なる種類の操作入力部材を備えた機器であってもよい。
【００９２】
また、本実施形態は、時計として電波ソーラ時計を適用したものであるが、本発明に係る操作入力部材を備えた機器としては、この電波ソーラ時計のような電子回路を有する時計の外、ゼンマイ等の機械的な動力源が発生する駆動力を機械的な伝達機構を介して指針等の表示機構を駆動させる機械式の時計に適用することもできる。
【００９３】
本実施形態の時計１００は、移動機構として、プッシュボタン頭１０を回転移動させる外リング３０を適用した例であるが、移動機構としては、回転移動だけでなく、直線移動（スライド）など、回転移動以外の移動形態で操作部材本体を移動させるものであってもよい。
【００９４】
プッシュボタン頭１０を直線移動させる具体的な構成を図８に示す。例えばケース本体２０が矩形枠状の周壁２１′を有するものであるとき、図８に示すように、この周壁２１′の面に沿って直線往復移動可能のスライダ３０′（移動機構、移動部材）を設け、このスライダ３０′に、スライダ３０′とともに移動するプッシュボタン頭１０′（操作部材本体）を設け、周壁２１′に、バネ１６によってプッシュボタン頭１０′に近づく方向に付勢されたプッシュボタン軸１５′（操作伝達部材）を設ける。
【００９５】
スライダ３０′が可動範囲の図示下端にあるときは、プッシュボタン頭１０′はスライダ３０′によって第１の位置Ｐ１に移動された状態にあり（図８（ａ））、プッシュボタン頭１０′に入力された矢印方向に押す操作はプッシュボタン軸１５′に伝達されて、プッシュボタン軸１５′はムーブメント８０を動作させる。
【００９６】
一方、スライダ３０′が可動範囲の図示上端にあるときは、プッシュボタン頭１０′はスライダ３０′によって第２の位置Ｐ２に移動された状態にあり（図８（ｂ））、プッシュボタン頭１０′がプッシュボタン軸１５′から離れ、プッシュボタン頭１０′に押す操作が入力されても、プッシュボタン頭１０′に入力された押す操作はプッシュボタン軸１５′に伝達されず、したがって、その入力された押す操作によってムーブメント８０が動作することがない。
【００９７】
このように、本発明に係る操作入力部材を備えた機器は、操作部材本体を直線移動させる移動機構によっても実現することができる。
【００９８】
なお、図８に示したスライダ３０′は、スライダ３０′と一体的に直線移動する、この直線移動の方向に延びた長孔３８ａを有するスライダ支持枠体３８によって支持されている。スライダ支持枠体３８は、長孔３８ａを枠部で囲った細長い矩形形状に形成されている。
【００９９】
スライダ支持枠体３８は、周壁２１′を貫通した２つの留めピン３９，３９の軸部３９ｂ，３９ｂが長孔３８ａを貫通し、長孔３８ａの幅（図８の紙面の奥行き方向に沿った長さ）よりも大きい直径の頭部３９ａ，３９ａによって支持されている。留めピン３９，３９の軸部３９ｂ，３９ｂは円柱形状、長孔３８ａは矩形形状である。長孔３８ａの幅は、軸部３９ｂ，３９ｂの直径とほぼ同じである。長孔３８ａは、留めピン３９，３９の移動方向を長孔３８ａの長手方向に案内する。
【０１００】
そして、２つの留めピン３９，３９のうち図示上側の留めピン３９に、スライダ支持枠体３８の長孔３８ａの上端縁が突き当たる位置（図８（ａ））と、図示下側の留めピン３９に、スライダ支持枠体３８の長孔３８ａの下端縁が突き当たる位置（図８（ｂ））との間で、スライダ３０′は移動可能とされる。
【０１０１】
したがって、プッシュボタン頭１０′へ入力された押す操作をプッシュボタン軸１５′に伝達可能とする第１の位置Ｐ１において、図示上側の留めピン３９にスライダ支持枠体３８の長孔３８ａの上端縁が突き当たるように図示上側の留めピン３９の位置を設定し（図８（ａ））、プッシュボタン頭１０′へ入力された押す操作をプッシュボタン軸１５′に伝達させない第２の位置Ｐ２において、図示下側の留めピン３９にスライダ支持枠体３８の長孔３８ａの下端縁が突き当たるように図示下側の留めピン３９の位置を設定すればよい（図８（ｂ））。
【０１０２】
図８に示したスライダ３０′とスライダ支持体３８′を長手方向に延ばし、スライダ３０′に２組のブッシュボタン頭１０′を取り付け、これに対応する位置に２組のプッシュボタン軸１５′を取り付けることにより、２組のプッシュボタン頭１０′が連動して動くように構成することもできる。
【０１０３】
また、図８に示す構成においても、第２の位置Ｐ２に移動したプッシュボタン頭１０′を収納する収納部を設けてもよい。さらに、図８に示す構成においても、第１の位置Ｐ１から第２の位置Ｐ２への移動または第２の位置Ｐ２から第１の位置Ｐ１への移動を検出するために、スライダ３０′にカムを設け、ケース本体２０の周壁２１′から突出するモード切替ボタン８１を設けてもよい。
【０１０４】
なお、操作部材本体を直線移動させる移動機構、移動部材の構成は、上述した例のものに限定されるものではない。
【０１０５】
本実施形態の時計１００は、操作伝達部材として、プッシュボタン頭１０に機械的に接触することで操作の伝達が行われるプッシュボタン軸１５を適用した例であるが、操作部材本体に入力された操作を機械的な接触で伝達する部材の外、プッシュボタン頭１０に取り付けた磁石と非金属で形成したケース本体２０内に設けたリードスイッチによる磁気的な動作や、電気的な動作で操作を伝達するものであってもよい。
【０１０６】
また、操作入力部材としては、押圧操作を受けて押し込まれる動作を行う、本実施形態におけるプッシュボタンの外、スライド操作を受けてスライド変位する動作を行うスライド部材なども適用することができる。
【０１０７】
本実施形態の時計１００は、ケースに、第２の位置Ｐ２に移動されたプッシュボタン頭１０を収納する隙間２３（収納部）が設けられているため、隙間２３に収納された第２の位置Ｐ２にあるプッシュボタン頭１０に外部から不測の入力がなされるのを確実に防止することができる。
【０１０８】
ここで、隙間２３は、プッシュボタン頭１０の全体を収納するものであってもよいし、プッシュボタン頭１０の一部を収納するものであってもよい。
【０１０９】
隙間２３が、プッシュボタン頭１０の全部を収納するものであるときは、プッシュボタン頭１０が第２の位置Ｐ２にある状態で、プッシュボタン頭１０はその全部が隙間２３に収納されているため、外部の障害物等は隙間２３を仕切っているケース本体２０に当たるだけであって、プッシュボタン頭１０には当たらないため、プッシュボタン頭１０に不測の入力がなされることがない。
【０１１０】
隙間２３が、プッシュボタン頭１０の一部のみを収納するものとしては、例えば、第２の位置Ｐ２にあるプッシュボタン頭１０が、表示部側から視認されるような形状にケース本体２０の繋ぎ部分２４を形成して、プッシュボタン頭１０を遠隔位置Ｐ３から近接位置Ｐ４に変位させるために触れられる部分（操作入力面１３）以外の部分（例えば、図４（ａ）におけるプッシュボタン頭１０の側面１４ａや端面１４ｂ）が収納されていないものを適用することができる。
【０１１１】
このような隙間２３であっても、プッシュボタン頭１０の収納されていない部分（側面１４ａや端面１４ｂ）に障害物等が当たった場合、障害物等からプッシュボタン頭１０に入力される荷重の向きはプッシュボタン頭１０の動作方向（遠隔位置Ｐ３から近接位置Ｐ４に変位する方向）に一致しないため、障害物からの荷重の入力によってプッシュボタン頭１０が動作することがない。
【０１１２】
また、第２の位置Ｐ２にあるプッシュボタン頭１０の全体を見せるようなデザインにする場合には、隙間２３等のプッシュボタン頭１０の収納部を設けなくてもよい。
【０１１３】
したがって、プッシュボタン軸１５に不測の入力がなされるのを防止するだけでなく、プッシュボタン頭１０にも不測の入力がなされるのを防止することができ、ムーブメント８０の不測の動作の防止の確実性を一層高めることができる。
【０１１４】
本実施形態の時計１００は、隙間２３が、第２の位置Ｐ２に移動されたプッシュボタン頭１０の少なくとも一部を覆う繋ぎ部分２４（被覆部）を有しているため、第２の位置Ｐ２に移動されたプッシュボタン頭１０は繋ぎ部分２４によって隠されていて、使用者は通常の使用状態ではプッシュボタン頭１０を視認することがない。
【０１１５】
そして、プッシュボタン頭１０が隙間２３に収納されているときは、プッシュボタン頭１０が第１の位置Ｐ１に移動されている状態でのみ使用可能の機能を、使用者が使用する意志がないため、その機能の動作に必要であるプッシュボタン頭１０が使われることはない。
【０１１６】
したがって、その状態では無用のプッシュボタン頭１０が繋ぎ部分２４に覆われて隠されていることで、時計１００の外観をすっきりしたものにすることができ、デザイン性を高めることができる。
【０１１７】
なお、繋ぎ部分２４は、時計１００を使用者が通常使用する際に使用者が指針９２等の表示部を視認する方向から見たとき、隙間２３に収納されたプッシュボタン頭１０の全部を覆うものである必要はなく、プッシュボタン頭１０の一部を覆うものであってもよい。
【０１１８】
本実施形態の時計１００は、プッシュボタン頭１０が、ムーブメント８０に相対的に近づいた近接位置Ｐ４とムーブメント８０から相対的に遠離った遠隔位置Ｐ３との間で変位可能に設けられ、プッシュボタン頭１０を、遠隔位置Ｐ３に付勢するバネ１９（付勢部材）を有するとともに、隙間２３に、プッシュボタン頭１０を、バネ１９の付勢力に抗して、近接位置Ｐ４の側に押し込むプッシュボタンガイド２８（押込部）を設けた構成により、隙間２３において、プッシュボタン頭１０を、よりコンパクトに収納することができる。
【０１１９】
すなわち、プッシュボタン頭１０は、遠隔位置Ｐ３と近接位置Ｐ４との間で変位する動作方向を有していて、バネ１９によって遠隔位置Ｐ３の側に付勢されている。
【０１２０】
したがって、プッシュボタン頭１０に操作を入力するときは、遠隔位置Ｐ３に付勢されているプッシュボタン頭１０を近接位置Ｐ４に変位させることによって行われる。
【０１２１】
ここで、プッシュボタン頭１０が隙間２３に収納された状態では、プッシュボタン頭１０からプッシュボタン軸１５には入力操作は伝達されない状態であるため、プッシュボタン頭１０が、遠隔位置Ｐ３にある状態であるか、近接位置Ｐ４にある状態かに拘わらず、ムーブメント８０の動作が変化することはない。
【０１２２】
ここで、隙間２３に設けられたプッシュボタンガイド２８が、プッシュボタン頭１０を近接位置Ｐ４の側に押し込むことにより、ムーブメント８０に対するプッシュボタン頭１０の突出量を小さくすることができる。
【０１２３】
すなわち、プッシュボタン頭１０を遠隔位置Ｐ３にある状態のままで隙間２３に収納するよりも、プッシュボタン頭１０を近接位置Ｐ４にある状態まで、ムーブメント８０からの突出量を小さくして隙間２３に収納することができ、隙間２３を一層小さく形成することができる。
【０１２４】
本実施形態の時計１００は、ケース本体２０が金属製であり、プッシュボタンガイド２８が樹脂製であることにより、プッシュボタン頭１０に擦過傷がつくのを防止することができる。
【０１２５】
すなわち、ケース本体２０が金属製の場合、プッシュボタン頭１０を第２の位置Ｐ２に移動させたとき、プッシュボタン頭１０は隙間２３に収納されるが、プッシュボタン頭１０は隙間２３のプッシュボタンガイド２８に接触しながら収納されていくため、プッシュボタンガイド２８がケース本体２０と同様に金属製であると、プッシュボタン頭１０とプッシュボタンガイド２８とが擦れ合い、プッシュボタン頭１０に擦過傷がつくおそれがある。
【０１２６】
プッシュボタン頭１０は使用者が操作を直接入力するものであから、これに外観上の擦過傷があると、商品性の低下を招く。
【０１２７】
しかし、プッシュボタンガイド２８が樹脂製である本実施形態の時計１００は、プッシュボタン頭１０とプッシュボタンガイド２８とが擦れ合っても、プッシュボタン頭１０が金属製の場合は、プッシュボタン頭１０に擦過傷がつくおそれがなく、商品性の低下を招くおそれを防止することができる。
【０１２８】
また、本実施形態の時計１００は、プッシュボタン頭１０が、その一端部（第２の位置Ｐ２に近い側の端部）を回転中心として、その他端部（第１の位置Ｐ１に近い側の端部）が、近接位置Ｐ４と遠隔位置Ｐ３との間で回転可能に設けられているため、プッシュボタン頭１０が第２の位置Ｐ２に近づくとき、遠隔位置Ｐ３のプッシュボタン頭１０は、第２の位置Ｐ２に近い一端部側の突出量が小さく、他端部側の突出量が大きいくさび状を呈している。
【０１２９】
このため、プッシュボタン頭１０と第２の位置Ｐ２のプッシュボタンガイド２８との接触は、くさび状の先端（幅が狭い方の一端部）側から始まる。
【０１３０】
したがって、プッシュボタン頭１０とプッシュボタンガイド２８との接触が進む際に、は、プッシュボタン頭１０をスムーズに、遠隔位置Ｐ３から近接位置Ｐ４に移動させることができる。
【０１３１】
また、プッシュボタン頭１０が第１の位置Ｐ１にある状態において、プッシュボタン頭１０の一端部（支点ピン１８で支持されている側の端部）が、隙間２３の開口を塞ぐように、第１の位置Ｐ１、隙間２３の開口位置またはプッシュボタン頭１０の周方向の長さを設定することにより、プッシュボタン頭１０が第１の位置Ｐ１にある状態において、隙間２３の開口がプッシュボタン頭１０によって塞がれた状態となり、隙間２３の内部が、外部から視認されるのを防ぐことができる。
【０１３２】
さらに、隙間２３は、プッシュボタン頭１０が第１の位置Ｐ１から第２の位置Ｐ２に向けて反時計回り−Ｒに回転移動されて収納されていくときの側にのみ開口していて、第２の位置Ｐ２を超えて反時計回り−Ｒの側には開口を形成しないことにより、隙間２３の存在自体が、開口側とは反対側の外部からでは視認されず、デザイン性を向上させることができる。
【０１３３】
本実施形態の時計１００は、外リング３０の回り止めピン３１ｈと、下面リング６１の円弧状の溝６１ｄとが、プッシュボタン頭１０の回転移動を、第１の位置Ｐ１と第２の位置Ｐ２との間の所定の角度範囲θに規制しているため、プッシュボタン頭１０が第２の位置Ｐ２を超えて、さらに反時計回り方向−Ｒに回転した場合に生じる不都合を防止することができる。
【０１３４】
すなわち、プッシュボタン頭１０が第２の位置Ｐ２を超えて、さらに反時計回り方向−Ｒに回転した場合、プッシュボタン頭１０が隙間２３から出た状態（例えば、プッシュボタン頭１０が文字板９１の「１０時」の位置まで回転した状態）になり得る。
【０１３５】
この場合、プッシュボタン頭１０は、プッシュボタンガイド２８による押し込みが解除されているため、遠隔位置Ｐ３に移動した状態となる。
【０１３６】
ここで、外リング３０が時計回り方向Ｒに回転されると、プッシュボタン頭１０のうち、遠隔位置Ｐ３に移動している他端部の側が、隙間２３を仕切るバンド取付部２２に当たり、プッシュボタン頭１０を隙間２３にスムーズに収納することができない、という不都合が生じる。
【０１３７】
しかし、本実施形態の時計１００は、そのような不都合を防止することができる。
【０１３８】
なお、プッシュボタン頭１０の回転移動を、第１の位置Ｐ１と第２の位置Ｐ２との間の所定の角度範囲θに規制する構成に代えて、プッシュボタン頭１０を一方向（反時計回り方向−Ｒ）にのみ循環して移動させる規制部材を移動機構に備えた構成を適用することもでき、そのような構成によっても、上述した不都合を防止することができる。
【０１３９】
なお、このような逆回転防止の構成としては、例えばラチェット機構のようなものを適用することができ、本実施形態の時計１００においては、図９に示すように、外リング３０の内周面３１ｂの全周に亘って、内歯車のようなラチェット溝３１ｄを形成するとともに、ケース本体２０またはケース裏蓋７０に固定部４２が固定されて周方向への移動が阻止され（回り止めされ）、反時計回り方向−Ｒに向かう先端端部には、ラチェット溝３１ｄに係合する係合端４２を有する、略円弧状の板バネであるクリックバネ４０を備えたものを適用することができる。固定部４２は、例えば、図９の紙面の奥行き方向等に延びる形状に形成することができる。
【０１４０】
このような構成によれば、クリックバネ４０はその弾性力により、円弧の半径が小さくなる方向に変形可能であるため、外リング３０が反時計回り方向−Ｒに回転するときは、ラチェット溝３１ｄに係合しているクリックバネ４０の係合端４２は、ラチェット溝３１ｄの凹凸間の斜面からの反力を受けたとき弾性変形して、ラチェット溝３１の凸部分を乗り越えるため、外リング３０の反時計回り方向−Ｒへの回転を許容する。
【０１４１】
一方、外リング３０が時計回り方向Ｒに回転するときは、ラチェット溝３１ｄに係合しているクリックバネ４０の係合端４２がラチェット溝３１の凸部分を乗り越えられないため、外リング３０の時計回り方向Ｒへの回転を阻止する。
【０１４２】
したがって、外リング３０を一方向にのみ回転させることができる。
なお、クリックバネ４０の形状としては、例えば特開平２−２４３９２８号公報の第３図〜第７図にそれぞれ示されたものなどを適用することができる。
【０１４３】
本実施形態の時計１００は、外リング３０がプッシュボタン頭１０を第２の位置Ｐ２に移動させることにより、プッシュボタン頭１０への入力をプッシュボタン軸１５に伝達させず、したがって、ムーブメント８０の不測の動作を防止することができるが、仮に、外リング３０に周壁３１がない構成の場合には、プッシュボタン頭１０を第２の位置Ｐ２に移動した状態のとき、プッシュボタン軸１５が外部に露出する。
【０１４４】
しかし、本実施形態の時計１００は、外リング３０がプッシュボタン頭１０を第２の位置Ｐ２に移動した状態において、外リング３０がプッシュボタン軸１５を外部から覆う被覆部材も兼ねているため、プッシュボタン軸１５に直接、不測の入力がなされるのも確実に防止することができる。
【０１４５】
なお、仮に、外リング３０に周壁３１がない構成であっても、操作入力部材を構成するプッシュボタン頭１０とプッシュボタン軸１５とのうち、ケース本体２０からの突出量が相対的に大きいプッシュボタン頭１０が第２の位置Ｐ２に移動すると、ケース本体２０からの突出量が相対的に小さいプッシュボタン軸１５がケース本体２０から突出していても、不測の動作は生じにくくなり、予期しない動作を防止することができる。
【０１４６】
また、ケース本体２０内に収納され、ケース本体２０から突出しない操作伝達部材（例えば、前述のリードスイッチ）を用いた場合には、外リング３０に周壁３１がない構成でも不測の動作を防止することができる。このように、外リング３０は、周壁３１を設けない構成にすることができ、この場合でも、不測の動作を防止することができる。
【０１４７】
しかし、プッシュボタン頭１０が第２の位置Ｐ２に移動した状態において、被覆部材としての外リング３０がプッシュボタン軸１５を外部から覆うことにより、プッシュボタン軸１５に直接、不測の入力がなされるのも防止することができ、ムーブメント８０が不測の動作を行うおそれを排除することができる。
【０１４８】
本実施形態の時計１００は、プッシュボタンが２つ備えられ、外リング３０は、これら２つのプッシュボタンにおけるそれぞれのプッシュボタン頭１０，１０を連動して移動させるものであるため、ムーブメント８０が有する機能に応じた動作として、２つ以上のプッシュボタンへの操作の入力の組み合わせを多様化することができ、複雑な動作に対応した機能をムーブメント８０に搭載することができる。
【０１４９】
しかも、外リング３０が、複数のプッシュボタン頭１０を連動させて、第１の位置Ｐ１と第２の位置Ｐ２との間で同時に移動させることができるため、複数のプッシュボタン頭１０をそれぞれ別個独立して移動させる複数の移動機構を備える必要がないため、構成部品点数を少なくすることができる。
【０１５０】
なおプッシュボタン等の操作入力部材は、２つに限定されるものではなく、３つ以上であってもよいし、１つであってもよい。
【０１５１】
また、操作入力部材を備えた機器が、本実施形態のように時計である場合は、時計の文字板の全体における「３時」の側の半分の領域に２つ以上の操作入力部材が偏って配置されていてもよいし、「３時」の側の半分の領域と「９時」の側の半分の領域とに操作入力部材が分散されて配置されていてもよい。
【０１５２】
操作入力部材を備えた機器が時計以外のものの場合にも同様に、表示部のうち、例えば正面に向かって右側の半分の領域と左側の半分の領域とに操作入力部材が分散されて配置されていてもよいし、一方の半分の領域に２つ以上の操作入力部材が偏って配置されていてもよい。
【０１５３】
本実施形態の時計１００は、プッシュボタン頭１０が、第１の位置Ｐ１から第２の位置Ｐ２への移動または第２の位置Ｐ２から第１の位置Ｐ１への移動を、カム３１ｃとモード切替ボタン８１とによって検出し、ムーブメント８０が、これらによって検出されたプッシュボタン頭１０の位置（第１の位置Ｐ１または第２の位置）に応じて、動作モードに係わる状態が切り替えられるものであるため、プッシュボタン頭１０からプッシュボタン軸１５を介してムーブメント８０に操作を伝達させる第１の位置Ｐ１のときには、ムーブメント８０を、プッシュボタン頭１０に入力される操作に応じた機能を行う動作モード（例えばクロノグラフモード）に自動的に切り替えることができ、一方、プッシュボタン頭１０からプッシュボタン軸１５に操作を伝達させない第２の位置Ｐ２のときには、ムーブメント８０を、プッシュボタン頭１０に入力される操作に無関係な機能を行う動作モード（例えば時刻モード）に自動的に切り替えることができる。
【０１５４】
したがって、プッシュボタン頭１０の位置の切り替えとムーブメント８０の動作モードの切り替えとを自動的に連動させることができ、ムーブメント８０の動作モードを切り替える操作を、プッシュボタン頭１０の位置の切り替え操作とは別の操作として使用者に行わせる手間を省くことができる。
【０１５５】
なお、プッシュボタン頭１０の位置の検出は、上述した実施形態の、カム３１ｃとモード切替ボタン８１とによるものの外、種々の態様の検出器によって実現するものであってもよい。
【０１５６】
動作モードに係わる状態は、例えば現在の時刻を指針で表示する時刻モードや、ストップウォッチ動作を表示するクロノグラフモードなど、互いに異なる表示を行う複数の機能にそれぞれ対応した動作を行う状態であり、例えば、なんらかの表示部を有する操作入力部材を備えた機器であれば、その表示部に表示する「動作モード」を特定する表示（マーク等の指標や文字、色等）であってもよいし、視覚的に表出される状態でなくても、装置の内部での動作モードに対応した処理内容であってもよい。
【０１５７】
本実施形態の時計１００は、この動作モードに対応した処理内容をムーブメント８０の内部で切り替えるだけであり、外観上で視認される変化はないものである。
【符号の説明】
【０１５８】
１０    プッシュボタン頭（操作部材本体）
１５    プッシュボタン軸（操作伝達部材）
２０    ケース本体（ケース）
２３    隙間
２４    繋ぎ部分
２８    プッシュボタンガイド
３０    外リング（移動機構）
３１ｃ  カム（検出器）
７０    ケース裏蓋（ケース）
８０    ムーブメント（動作部）
８１    モード切替ボタン（検出器）
１００  （腕）時計
Ｐ１    第１の位置
Ｐ２    第２の位置
Ｐ３    遠隔位置
Ｐ４    近接位置
Ｒ      時計方向
−Ｒ    反時計回り
【図１】
2014026723.tif 000003
【図２】
2014026723.tif 000004
【図３】
2014026723.tif 000005
【図４】
2014026723.tif 000006
【図５】
2014026723.tif 000007
【図６】
2014026723.tif 000008
【図７】
2014026723.tif 000009
【図８】
2014026723.tif 000010
【図９】
2014026723.tif 000011